(57)【要約】【課題】壁紙に対して剥離、再貼付をすることが容易な壁装飾用パネルを提供する。【解決手段】壁装飾用パネル１０は、所定の装飾材で予め装飾された装飾面４が上面に設けられた軽量素材３と、シート状のマスキングテープまたはゴム系粘着剤からなり軽量素材３の底面側に設けられた壁貼り側粘着材２と、壁貼り側粘着材２の表面を覆う壁貼り側保護シート１と、を備える。【選択図】図１
0003204687.tif 000002
【実用新案登録請求の範囲】
【請求項１】
所定の装飾材で予め装飾された装飾面が上面に設けられた基材と、
シート状のマスキングテープまたはゴム系粘着剤からなり前記基材の底面側に設けられた壁貼り側粘着材と、
前記壁貼り側粘着材の表面を覆う壁貼り側保護シートと、を備える壁装飾用パネル。
【請求項２】
前記装飾面は、シート状に形成された一又は複数種類の装飾材で装飾されている請求項１記載の壁装飾用パネル。
【請求項３】
前記装飾面は、立体形状を有する一又は複数種類の装飾材で装飾されている請求項１又は２に記載の壁装飾用パネル。
【請求項４】
前記装飾面は、表面に凹凸形状を有する請求項１又は３に記載の壁装飾用パネル。
【請求項５】
基材と、
前記基材の上面に設けられた粘着性を有する装飾側粘着面と、
前記装飾側粘着面の表面を覆う装飾側保護シートと、
シート状のマスキングテープまたはゴム系粘着剤からなり前記基材の底面側に設けられた壁貼り側粘着材と、
前記壁貼り側粘着材の表面を覆う壁貼り側保護シートと、を備える壁装飾用パネル。
【考案の詳細な説明】
【技術分野】
【０００１】
本考案は、壁への取付け、剥離および再貼付が容易な壁装飾用パネルに関する。
【背景技術】
【０００２】
昨今、壁を自由に装飾したいというニーズが高まっていることに伴い、多様な壁装飾用品が市販されている。壁装飾用品としては、例えばウォールステッカーをはじめとして、ファブリックパネルに代表される壁装飾用パネルがある。従来、ステッカーシート等のように壁に貼り付けるタイプの壁装飾用品は、奥行きがなく薄いシート状の形態であった。一方、壁装飾用パネルは木枠等で構成されて立体形状を有し、釘と紐を使用して壁に取り付けるタイプのものが一般的である。また、壁装飾用パネルの一種であるフォトフレームには、壁に穴をあけることなく、両面テープを用いて貼りつけることで壁を装飾するものがある（特許文献１）。
【先行技術文献】
【特許文献】
【０００３】
【特許文献１】特開２０１４−９４２５９号公報
【考案の概要】
【考案が解決しようとする課題】
【０００４】
従来のファブリックパネルなどに代表される木枠等で構成されて立体形状を有する壁装飾用パネルは、釘と紐を使用して壁に取り付けるタイプのものが多く、取付け時に壁に穴が開いてしまうという問題があった。また、貼り付けタイプのものであっても、貼り付けに用いられる両面テープ等は粘着力が強く、一度貼り付けると壁あるいは壁紙からの剥離、再貼付が難しいという課題があった。
【課題を解決するための手段】
【０００５】
上記課題を解決するために、本考案の一態様による壁装飾用パネルは、所定の装飾材で予め装飾された装飾面が上面に設けられた基材と、シート状のマスキングテープまたはゴム系粘着剤からなり前記基材の底面側に設けられた壁貼り側粘着材と、前記壁貼り側粘着材の表面を覆う壁貼り側保護シートと、を備える。
【考案の効果】
【０００６】
本考案に係る壁装飾用パネルによれば、取付け時に壁に穴を開けることなく、パネルのような立体形状を有する装飾品を壁あるいは壁紙の上に貼り付けて装飾することができる。また、本考案に係る壁装飾用パネルによれば、壁装飾用パネルを壁紙に対して剥離、再貼付をすることが容易である。
【図面の簡単な説明】
【０００７】
【図１】本考案の第１実施形態による壁装飾用パネルの構成例を示す外観斜視図である。
【図２】本考案の第１実施形態による壁装飾用パネルの加工態様の一例を示す図である。
【図３】本考案の第２実施形態による壁装飾用パネルの構成例を示す外観斜視図である。
【図４】本考案の第２実施形態による壁装飾用パネルの加工態様の一例を示す図である。
【考案を実施するための形態】
【０００８】
以下、本考案の実施の形態について詳細に説明する。なお、本考案は、以下の実施の形態に限定されるものではなく、その要旨の範囲内で種々変形して実施することができる。すなわち、実施の形態の例に記載されている構成部品の寸法、材質、形状、その相対的配置等は特に記載がない限り、本考案の範囲を限定する趣旨ではなく、単なる説明例に過ぎない。また、使用する図面は、本実施の形態を説明するための一例であり、実際の大きさを表すものではない。各図面が示す部材の大きさや位置関係等は、説明を明確にするため誇張していることがある。なお、以下に説明する各図において、同一の構成を有する部分には同一の符号を付し、その繰り返しの説明は省略する。
【０００９】
＜第１実施形態＞
本考案の第１実施形態による壁装飾用パネル１０の構成例について、図１を用いて説明する。図１は、第１実施形態による壁装飾用パネル１０の構成例を示す外観斜視図である。図１に示すように壁装飾用パネル１０は、壁貼り側保護シート１、壁貼り側粘着材２、軽量素材３（基材の一例）を順次重ね合わせた構造を有している。また、軽量素材３の上面には装飾面４が設けられている。
【００１０】
壁貼り側保護シート１は、壁貼り側粘着材２の表面を覆って壁貼り側粘着材２へのごみ等の付着を防止している。壁貼り側保護シート１は、紙製が望ましい。壁貼り側保護シート１における壁貼り側粘着材２に接する面には剥離加工が施されている。このため、壁貼り側保護シート１は、シールの粘着面を覆う剥離紙のように、壁貼り側粘着材２から容易に剥離することができる。壁装飾用パネル１０の壁への貼り付け時には、壁貼り側保護シート１を壁貼り側粘着材２から剥離して、壁貼り側粘着材２を壁紙の上に貼り付けて使用する。
【００１１】
壁貼り側粘着材２は、幅広いシート状のマスキングテープ、またはマスキングテープの糊面側に用いられるのと同じゴム系粘着剤である。壁装飾用パネル１０は、壁貼り側粘着材２によって壁紙の上に貼り付けられることで、壁を装飾する。壁貼り側粘着材２の壁紙に対する剥離および再貼付回数は、壁装飾用パネル１０が数十グラム程度のパネルであると仮定した場合、数十〜数百回程度可能である。なお、この回数は、壁装飾用パネル１０の重さや壁紙の種類によって変動する。
【００１２】
壁貼り側粘着材２は、軽量素材３の上面に設けられた装飾面４と対向する面、即ち軽量素材３の底面側に接着されている。壁貼り側粘着材２がマスキングテープからなる場合は、例えばマスキングテープの糊面側が壁貼り側保護シート１で覆われ、非糊面側が接着剤等により軽量素材３の底面側に接着されている。また、壁貼り側粘着材２がゴム系粘着剤からなる場合は、例えばゴム系粘着剤自体が軽量素材３の底面側に接着されて粘着層を形成し、ゴム系粘着剤の表面が壁貼り側保護シート１で覆われている。
【００１３】
軽量素材３の一例としては、切断等の加工が容易であり、且つある程度の厚みを有する発泡スチロール等の発泡体や不織布等の多孔質素材等が好適である。加工しやすさを考慮すると、軽量素材３の厚さは、１０〜３０ｍｍ前後が望ましい。また、軽量素材３は装飾面４の色彩に合わせて予め着色されている。これにより、壁装飾用パネル１０は、一体感のある外観を形成することができる。
【００１４】
軽量素材３の上面には、予め所定の装飾材で装飾された装飾面４が設けられている。装飾面４を装飾する装飾材としては、薄い平面状（シート状）に形成された装飾材（以降、「平面状装飾材」と称する）または厚みのある立体形状を有する装飾材（以降、「立体状装飾材」と称する）がある。平面状装飾材の一例としては、紙、布、ファー、毛糸、レース、ビニール、レザー、写真などが挙げられる。これらの平面状装飾材は、例えば、軽量素材３の上面に粘着剤等を用いて取付けられている。
【００１５】
また、立体状装飾材の一例としては、造花、合成樹脂を素材とするビーズ等の人工物や貝殻、石、砂、木等の自然素材等が挙げられる。これらの立体状装飾材は、軽量素材３の上面に粘着剤、ピンまたはワイヤー等を用いて取付けられている。
【００１６】
装飾面４は、一種類の平面状装飾材で装飾されていてもよいし、紙と布等、複数種類の素材の異なる平面状装飾材で装飾されていてもよい。また、装飾面４は、一種類の立体状装飾材で装飾されていてもよいし、貝殻と木等、複数種類の素材の異なる立体状装飾材で装飾されていてもよい。また、装飾面４は、平面状装飾材と立体状装飾材とで装飾されていてもよい。また、装飾面４は、立体状装飾材で装飾されたり、平面状装飾材と立体状装飾材とで装飾されたりすることで、表面に凹凸形状を有する。また、装飾面４の表面自体に凹凸を形成する加工が施されていてもよい。このように、装飾面４は、多様な装飾材によって変化に富んだ装飾が可能である。これにより、装飾面４は壁装飾用パネル１０の装飾性を向上させることができる。
【００１７】
壁装飾用パネル１０は、使用者が壁の装飾に用いる際に、所望の形状に加工することができるように構成されている。
【００１８】
次に、第１実施形態による壁装飾用パネル１０の加工態様を、図２を用いて説明する。
図２は、第１実施形態による壁装飾用パネル１０の加工態様の一例を示す図である。より詳細には、図２（ａ）は、壁装飾用パネル１０の加工前において、壁貼り側保護シート１側に描画された状態を示している。図２（ａ）では、一例として、５角星型が描画されている状態が図示されている。図２（ｂ）は、壁装飾用パネル１０の加工前の状態を、装飾面４側から見た図である。装飾面４側からは、壁貼り側保護シート１側に描画された内容は視認できないが、説明の便宜上、描画された５角星型を破線で示している。図２（ｃ）は、描画に合わせて加工した後の状態の壁装飾用パネル１０を壁貼り側保護シート１側から見た図である。また、図２（ｄ）は、加工した後の状態の壁装飾用パネル１０を装飾面４側から見た図である。
【００１９】
壁貼り側保護シート１、壁貼り側粘着材２、軽量素材３および装飾面４は、はさみやカッター等を用いて使用者の好みの形態に加工することができるように構成されている。壁装飾用パネル１０は、加工に際して、壁貼り側粘着材２を覆っている壁貼り側保護シート１に鉛筆やペン等の筆記具を用いて図柄の描画が可能である。壁貼り側保護シート１において、剥離加工のされていない面、すなわち壁貼り側粘着材２と接しない面が、描画が可能な面（以降、「描画面」と称する）である。
【００２０】
図２（ａ）では図示を省略するが、壁貼り側保護シート１の描画面は、方眼紙のようなマス目が印刷されている。これにより、壁貼り側保護シート１の描画面は、使用者が容易に図形等を描画できるようになっている。上述のように、壁装飾用パネル１０を構成する壁貼り側保護シート１は紙を素材としており、軽量素材３は切断等の加工が容易な発泡体や多孔質素材等で形成されている。このため、壁装飾用パネル１０は、はさみやカッター等の一般的な道具を用いて、容易に加工することができる。図２（ｃ）、図２（ｄ）では、描画面に描画された５角星型の線に沿って壁装飾用パネル１０が切断されて、壁装飾用パネル１０の形状が５角星型に加工された状態を示している。
【００２１】
装飾面４が立体状装飾材で装飾されている場合、はさみやカッター等での加工が困難な装飾材、例えば貝殻、石、木等は、加工を妨げないように装飾材間に少し隙間を開けて軽量素材３の上面に取り付けられていることが望ましい。
【００２２】
以上、説明したように、本考案の第１実施形態による壁装飾用パネル１０は、所定の装飾材で予め装飾された装飾面４が上面に設けられた軽量素材３と、シート状のマスキングテープまたはゴム系粘着剤からなり軽量素材３の底面側に設けられた壁貼り側粘着材２と、壁貼り側粘着材２の表面を覆う壁貼り側保護シート１と、を備える。これにより、壁装飾用パネル１０の壁への取り付け時には、壁に穴を開けることなく、壁貼り側粘着材２によって壁紙の上に壁装飾用パネル１０を貼り付け、壁を装飾することができる。また、壁装飾用パネル１０は、壁紙からの剥離および再貼付が容易である。さらに、壁装飾用パネル１０は、切断等の加工が容易となるように構成されているため、使用者の所望の形状に加工して用いることができる。
【００２３】
＜第２実施形態＞
図３は、本考案の第２実施形態による壁装飾用パネル２０の構成例を示す外観斜視図である。図３に示すように壁装飾用パネル２０は、壁貼り側保護シート１、壁貼り側粘着材２、軽量素材３、装飾側粘着面５および装飾側保護シート６を順次重ね合わせた構造を有している。第２実施形態による壁装飾用パネル２０は、軽量素材３の上面に装飾面４が設けられる代わりに、装飾側粘着面５および装飾側保護シート６が設けられている点が、第１実施形態による壁装飾用パネル１０と異なる。図３では、壁装飾用パネル１０と同等の作用効果を有する構成については、図１と同じ符号を付し、説明は省略する。
【００２４】
軽量素材３の上面に設けられた装飾側粘着面５は、例えば、壁貼り側粘着材２を構成するのと同様のゴム系粘着剤または、アクリル系粘着剤、シリコーン系粘着剤、ウレタン系粘着剤等の粘着剤で構成されている。これにより、装飾側粘着面５には、使用者の好みの装飾材を貼り付けることができる。装飾側粘着面５に上述の立体状装飾材を取り付ける際には、ピンやワイヤー等も併せて用いると、立体状装飾材をより安定して装飾側粘着面５に取り付けることができる。
【００２５】
装飾側保護シート６は、装飾側粘着面５の表面を覆うことで、壁貼り側保護シート１と同様にごみ等の付着を防止している。また、装飾側保護シート６における装飾側粘着面５に接する面には剥離加工が施され、装飾側粘着面５から容易に剥離することができる。また、壁装飾用パネル２０を加工する際には、壁貼り側保護シート１だけでなく装飾側保護シート６にも鉛筆やペン等の筆記具を用いて図柄の描画が可能である。装飾側保護シート６は、剥離加工のされていない面、すなわち装飾側粘着面５と接しない面が描画面として用いられる。図３および４では図示を省略するが、装飾側保護シート６の描画面には、壁貼り側保護シート１の描画面と同様に方眼紙のようにマス目が印刷されていてもよい。これにより、使用者が容易に図形等を描画できる。
【００２６】
図４は、第２実施形態による壁装飾用パネル２０の加工態様の一例を示す図である。より詳細には、図４（ａ）は、壁装飾用パネル２０の加工前において、装飾側保護シート６に描画された状態を示している。図４（ａ）では一例として５角星型が描画されている。図４（ｂ）は、図４（ａ）に示す描画に合わせて加工した後の状態の壁装飾用パネル２０を示す図である。また、図４（ｃ）は、図４（ｂ）に示す加工後の状態の壁装飾用パネル２０の装飾側粘着面５から装飾側保護シート６剥離して装飾側粘着面５が露出した状態を示す図である。また、図４（ｄ）は、図４（ｃ）に示す装飾側粘着面５が露出した状態の壁装飾用パネル２０に、所定の装飾材αを取り付ける状態を示す図である。
【００２７】
ここで、図４を用いて、壁装飾用パネル２０の加工例として、例えば壁装飾用パネル２０を５角星型に切断した後、装飾材αで装飾する例について説明する。本例では、装飾材αは、例えば水玉模様が印刷された紙を素材とする平面状装飾材であると仮定する。
【００２８】
第２実施形態による壁装飾用パネル２０は、第１実施形態による壁装飾用パネル１０と同様に、はさみやカッター等を用いて使用者の所望の形状に容易に加工することができる。壁装飾用パネル２０を加工する際には、例えば、まず図４（ａ）に示すように、装飾側保護シート６の描画面に加工後の壁装飾用パネル２０の形状（ここでは、５角星型）を描画する。次に、はさみやカッター等を用いて、描画された線に沿って壁装飾用パネル２０を５角星型に切断して図４（ｂ）に示す状態とする。次に、切断された壁装飾用パネル２０の装飾側粘着面５から装飾側保護シート６を剥離し、装飾側粘着面５を露出させる。次に、図４（ｄ）に示すように、露出した装飾側粘着面５に予め５角星型に形成された装飾材αを重ね合わせて取付け、軽量素材３の上面を装飾材αで装飾する。
【００２９】
図４では、平面状装飾材である装飾材αで軽量素材３の上面を装飾する例を説明したが、これに限られず、軽量素材３は立体状装飾材で装飾されてもよいし、平面状装飾材と立体状装飾材とで装飾されてもよい。
【００３０】
以上説明したように、壁装飾用パネル２０は、軽量素材３と、軽量素材３の上面に設けられた粘着性を有する装飾側粘着面５と、前記装飾側粘着面５の表面を覆う装飾側保護シート６と、シート状のマスキングテープまたはゴム系粘着剤からなり軽量素材３の底面側に設けられた壁貼り側粘着材２と、壁貼り側粘着材２の表面を覆う壁貼り側保護シート１と、を備える。これにより、壁装飾用パネル２０は、装飾側保護シート６を装飾側粘着面５から剥離して装飾側粘着面５を露出させることで、装飾側粘着面５に平面状装飾材や立体状装飾材を取り付けることが可能に構成されている。壁装飾用パネル２０は、予め装飾された装飾面４が設けられていないため、装飾側粘着面５には使用者の所望する多様な装飾材が取り付けられる。したがって、壁装飾用パネル２０は、装飾の自由度をより高めることができる。
また、壁装飾用パネル２０は、第１実施形態による壁装飾用パネル１０と同様の効果を奏する。
【符号の説明】
【００３１】
１  壁貼り側保護シート
２  壁貼り側粘着材
３  軽量素材
４  装飾面
５  装飾側粘着面
６  装飾側保護シート
１０、２０  壁装飾用パネル
【図１】
0003204687.tif 000003
【図２】
0003204687.tif 000004
【図３】
0003204687.tif 000005
【図４】
0003204687.tif 000006